(57)【要約】【課題】管理性の優れた楽譜データの構成を有する電子楽譜装置を提供する。【解決手段】電子楽譜装置１が、開閉可能に接続されたディスプレイユニットＤ１、Ｄ２を備え、ユーザの表示部１１、１２への書き込みを、楽譜ページデータと関連付けられる一方で分離して管理されることができるアノテーションデータ１として変換して記憶させ、関連付けられた楽譜ページデータをアノテーションデータ１とともに各表示部を介して画像表示を行った後、ユーザがアノテーションデータ１に対して再書き込みを行った場合、再書き込みを行う前のアノテーションデータ１を第１世代のアノテーションデータ１として記憶させ、且つ、再書き込みを行った後のアノテーションデータ１を第２世代のアノテーションデータ１として記憶させて、アノテーションデータ１に対して書き込みの履歴を持たせることができる。【選択図】図１Ａ
2018180066.tif 000002
【特許請求の範囲】
【請求項１】
開閉可能に接続された少なくとも２つのディスプレイユニットを備える電子楽譜装置であって、
前記少なくとも２つのディスプレイユニットが、
楽譜ページデータ、及びアプリケーションプログラムを記憶するメモリと、
前記少なくとも２つのディスプレイユニットの各々に設けられ、前記楽譜ページデータに基づく画像表示を行い、ユーザによる書き込みが可能な表示部と、
各ディスプレイユニットの表示部の画像表示を制御するための制御部と、
前記アプリケーションプログラムに基づいて、前記制御部からの指示により外部装置とのデータ通信を行う通信部と
を備え、
前記ユーザによる書き込みを、前記楽譜ページデータと関連付けられる一方で分離して管理されることができる第１のアノテーションデータとして変換して記憶させることができ、
前記関連付けられた楽譜ページデータを前記第１のアノテーションデータとともに各表示部を介して画像表示を行った後、ユーザが前記第１のアノテーションデータに対して再書き込みを行った場合、再書き込みを行う前の前記第１のアノテーションデータを第１世代のアノテーションデータとして記憶させ、且つ、再書き込みを行った後の前記第１のアノテーションデータを第２世代のアノテーションデータとして記憶させて、前記第１のアノテーションデータに対して書き込みの履歴を持たせることができる、電子楽譜装置。
【請求項２】
前記関連付けられた楽譜ページデータを、前記第１世代及び前記第２世代の第１のアノテーションデータのうちの１つとともに各表示部を介して画像表示を行う、請求項１に記載の電子楽譜装置。
【請求項３】
前記楽譜ページデータと前記第１世代及び前記第２世代の第１のアノテーションデータとを、前記外部装置に前記通信部を介して送信して記憶させることができる、請求項１又は２に記載の電子楽譜装置。
【請求項４】
前記第１世代及び前記第２世代の第１のアノテーションデータのうちの前記第２世代の第１のアノテーションデータのみを記憶する、請求項３に記載の電子楽譜装置。
【請求項５】
前記外部装置に記憶された前記第１世代の第１のアノテーションデータを、前記通信部を介して受信して各表示部を介して画像表示を行う、請求項４に記載の電子楽譜装置。
【請求項６】
各表示部へのユーザによる書き込みを、前記第１のアノテーションデータとは相違する第２のアノテーションデータとして記憶させることができ、前記関連付けられた楽譜ページデータを、前記第１及び第２のアノテーションデータのうちの１つとともに前記各表示部を介して画像表示を行う、請求項１〜５の何れか一項に記載の電子楽譜装置。
【請求項７】
前記外部装置には請求項１〜６の何れか一項に記載の電子楽譜装置とは別の第２の電子楽譜装置が接続可能であって、
前記第２の電子楽譜装置が、前記外部装置に記憶された前記第１世代及び前記第２世代の第１のアノテーションデータのうちの１つを受信して画像表示を行って、前記第２の電子楽譜装置のユーザが書き込みを行った場合、前記第２の電子楽譜装置のユーザによる書き込みを前記第１のアノテーションデータに対する第３世代のアノテーションデータとして更に履歴を持たせて前記外部装置に記憶させ、
前記外部装置に記憶された前記第３世代の第１のアノテーションデータを、前記通信部を介して受信して各表示部を介して画像表示を行う、請求項１〜６の何れか一項に記載の電子楽譜装置。
【請求項８】
前記第２の電子楽譜装置のユーザによる書き込みを、前記第１のアノテーションデータとは相違する第３のアノテーションデータとして前記外部装置に記憶させ、前記外部装置に記憶された前記第３のアノテーションデータを、前記通信部を介して受信して各表示部を介して画像表示を行う、請求項７に記載の電子楽譜装置。
【請求項９】
前記少なくとも２つのディスプレイユニットの表示部のうちの１つの表示部について画像表示された楽譜のページの演奏が終わった後、前記１つの表示部に画像表示された楽譜のページを、演奏中の別の表示部に画像表示された楽譜のページより後のページに切り換えて先読みして画像表示させると同時に、先読みして画像表示させていることを示すアイコンを画像表示させ、前記１つの表示部に前記先読みして画像表示された楽譜のページの演奏中には前記アイコンを削除させる、請求項１〜８の何れか一項に記載の電子楽譜装置。
【請求項１０】
複数のページによって構成された楽譜ページデータに対して、前記複数のページのうちの２つの隣り合う前後のページの間に、前記複数のページのうちの少なくとも１つのページを挿入することができる、請求項１〜９の何れか一項に記載の電子楽譜装置。
【請求項１１】
複数の楽曲の楽譜データを記憶させることができ、更に、前記複数の楽曲の中から少なくとも２つの楽曲を選択して演奏する順番に順位付けをして１つのセットとして記憶させることができ、各表示部を介して前記セットのうちの１つの楽曲の楽譜データを画像表示させている場合において、前記１つの楽曲をページめくりして最後のページまで到達した後、前記１つの楽曲の次の順番の楽曲を画像表示させる前に、前記１つの楽曲、及び前記次の順番の楽曲の曲名をユーザが認識できるようにする曲間表示を行う、請求項１〜１０の何れか一項に記載の電子楽譜装置。
【請求項１２】
前記楽譜データに基づいて前記表示部により画像表示されたページに対して、前のページに戻して画像表示させたり後のページに進めて画像表示させたりするためのページめくり操作部を更に備え、前記ページめくり操作部は、ＩＲＬＥＤ及びＩＲセンサを含む、請求項１〜１１の何れか一項に記載の電子楽譜装置。
【発明の詳細な説明】
【技術分野】
【０００１】
本発明は、少なくとも２つのディスプレイを備える電子楽譜装置に関する。
【背景技術】
【０００２】
楽曲制作のためのＤＡＷ（Ｄｉｇｉｔａｌ  Ａｕｄｉｏ  Ｗｏｒｋｓｔａｔｉｏｎ）やそのためのアプリケーションを有するＰＣ（パーソナルコンピュータ）によって、楽曲を制作したり、楽譜（以下、「スコア(ＳＣＯＲＥ)」ともいう）を作成することは広く行われている。
【０００３】
マウスやキーボードの入力手段を利用するほか、ＰＣのディスプレイ自体から直接入力できるように、手書き入力可能なタッチパネルディスプレイを使用することも行われている。また、２つのディスプレイを有する電子楽譜装置も知られている。
【０００４】
特許文献１には、譜面台を象った２つの表示画面からなり、電子楽譜などの表示画像に自由に書き込みができる情報処理装置が開示されている。その情報処理装置では、第１及び第２の操作ボタン群がディスプレイ内に設けられている。第１の操作ボタン群は、操作頁送り、頁戻し、頁の最初に戻る、楽譜の保存および他の楽譜を表示、といった楽譜操作や、手書き画像の消去、保存および各種設定、といった処理を指示するためのソフトウェアボタンであり、第２の操作ボタン群は、動作モードの切り替えを指示するためのソフトウェアボタンである。また、その情報処理装置では、楽譜ページデータと手書きデータがそれぞれ異なるレイヤで管理され、楽譜ページデータに対応する画像と手書きデータに対応する画像とが重ねて表示される。また、複数の情報処理装置によりネットワークを構成して、各情報処理装置に保存されたデータを送受信して互いに共有することができる。
【０００５】
特許文献２には、２つの表示画面である第１表示部及び第２表示部と、画像の表示の書き換え操作、具体的には例えばページめくりの指示を入力可能な入力手段とを備える表示装置が開示されている。その表示装置では、１頁目が左画面に表示され、２頁目が右画面に表示され、書き換え対象となった左画面にはアイコンが表示され、進むスイッチを押すと、左画面の表示が１頁目から３頁目へと書き換えられる。
【先行技術文献】
【特許文献】
【０００６】
【特許文献１】特開２００３−１０７９８６号公報
【特許文献２】特開２０１３−９７０２３号公報
【発明の概要】
【発明が解決しようとする課題】
【０００７】
特許文献１によって開示された情報処理装置では、楽譜ページデータと手書きデータがそれぞれ異なるレイヤで管理され、更には複数の手書きデータを管理でき、任意の手書きデータを表示できるが、一度消去してしまった過去の書き込みを復元することはできない。特に、複数の情報処理装置によって手書きデータを共有している場合、あるユーザが共有された手書きデータにあった書き込みを消去すると、他のユーザがその消去された書き込みを再度閲覧することはできない。
【０００８】
特許文献２によって開示された表示装置では、書き換え対象となった表示画面には常にアイコンが表示されているため、書き換え対象となった表示画面に表示された頁と書き換え対象となっていない表示画面に表示された頁との頁上の前後関係がユーザにとって瞬時の判別が難しい。
【０００９】
従って、ユーザの利便性を高めた新たな電子楽譜装置が求められていた。本発明はかかる課題に着目してなされたものであって、管理性の優れた楽譜データの構成を有する電子楽譜装置を提供することを目的とし、更に、ユーザ、例えば演奏者が、演奏中における操作性の高い電子楽譜装置を提供することを目的とするものである。
【課題を解決するための手段】
【００１０】
本発明の１つの観点によれば、電子楽譜装置が、開閉可能に接続された少なくとも２つのディスプレイユニットを備え、少なくとも２つのディスプレイユニットが、楽譜ページデータ、及びアプリケーションプログラムを記憶するメモリと、少なくとも２つのディスプレイユニットの各々に設けられ、楽譜ページデータに基づく画像表示を行い、ユーザによる書き込みが可能な表示部と、各ディスプレイユニットの表示部の画像表示を制御するための制御部と、アプリケーションプログラムに基づいて、制御部からの指示により外部装置とのデータ通信を行う通信部とを備え、電子楽譜装置は、ユーザによる書き込みを、楽譜ページデータと関連付けられている一方で分離して管理されることができる第１のアノテーションデータとして変換して記憶させることができ、そして、電子楽譜装置は、関連付けられた楽譜ページデータを第１のアノテーションデータとともに各表示部を介して画像表示を行った後、ユーザが第１のアノテーションデータに対して再書き込みを行った場合、再書き込みを行う前の第１のアノテーションデータを第１世代のアノテーションデータとして記憶させ、且つ、再書き込みを行った後の第１のアノテーションデータを第２世代のアノテーションデータとして記憶させて、第１のアノテーションデータに対して書き込みの履歴を持たせることができる。
【００１１】
本発明の一具体例によれば、電子楽譜装置が、関連付けられた楽譜ページデータを、第１世代及び第２世代の第１のアノテーションデータのうちの１つとともに各表示部を介して画像表示を行う。
【００１２】
本発明の一具体例によれば、電子楽譜装置が、楽譜ページデータと第１世代及び第２世代の第１のアノテーションデータとを、外部装置に通信部を介して送信して記憶させることができる。
【００１３】
本発明の一具体例によれば、電子楽譜装置が、第１世代及び第２世代の第１のアノテーションデータのうちの第２世代の第１のアノテーションデータのみを記憶する。
【００１４】
本発明の一具体例によれば、電子楽譜装置が、外部装置に記憶された第１世代の第１のアノテーションデータを、通信部を介して受信して各表示部を介して画像表示を行う。
【００１５】
本発明の一具体例によれば、電子楽譜装置が、各表示部へのユーザによる書き込みを、第１のアノテーションデータとは相違する第２のアノテーションデータとして記憶させることができ、関連付けられた楽譜ページデータを、第１及び第２のアノテーションデータのうちの１つとともに各表示部を介して画像表示を行う。
【００１６】
本発明の一具体例によれば、外部装置に接続可能である第２の電子楽譜装置が外部装置に記憶された第１世代及び第２世代の第１のアノテーションデータのうちの１つを受信して画像表示を行って、第２の電子楽譜装置のユーザが書き込みを行った場合、第２の電子楽譜装置のユーザによる書き込みを第１のアノテーションデータに対する第３世代のアノテーションデータとして更に履歴を持たせて外部装置に記憶させ、電子楽譜装置が、外部装置に記憶された第３世代の第１のアノテーションデータを、通信部を介して受信して各表示部を介して画像表示を行う。
【００１７】
本発明の一具体例によれば、第２の電子楽譜装置のユーザによる書き込みを、第１のアノテーションデータとは相違する第３のアノテーションデータとして外部装置に記憶させることができ、電子楽譜装置が、外部装置に記憶された第３のアノテーションデータを、通信部を介して受信して各表示部を介して画像表示を行う。
【００１８】
本発明の一具体例によれば、電子楽譜装置が、少なくとも２つのディスプレイユニットの表示部のうちの１つの表示部について画像表示された楽譜のページの演奏が終わった後、１つの表示部に画像表示された楽譜のページを、演奏中の別の表示部に画像表示された楽譜のページより後のページに切り換えて先読みして画像表示させると同時に、先読みして画像表示させていることを示すアイコンを画像表示させ、１つの表示部に先読みして画像表示された楽譜のページの演奏中にはアイコンを削除させる。
【００１９】
本発明の一具体例によれば、電子楽譜装置が、複数のページによって構成された楽譜ページデータに対して、複数のページのうちの２つの隣り合う前後のページの間に、複数のページのうちの少なくとも１つのページを挿入することができる。
【００２０】
本発明の一具体例によれば、電子楽譜装置が、複数の楽曲の楽譜データを記憶させることができ、更に、複数の楽曲の中から少なくとも２つの楽曲を選択して演奏する順番に順位付けをして１つのセットとして記憶させることができ、各表示部を介してセットのうちの１つの楽曲の楽譜データを画像表示させている場合において、１つの楽曲をページめくりして最後のページまで到達した後、１つの楽曲の次の順番の楽曲を画像表示させる前に、１つの楽曲、及び次の順番の楽曲の曲名をユーザが認識できるようにする曲間表示を行う。
【００２１】
本発明の一具体例によれば、電子楽譜装置が、楽譜データに基づいて表示部により画像表示されたページに対して、前のページに戻して画像表示させたり後のページに進めて画像表示させたりするためのページめくり操作部を更に備え、ページめくり操作部は、ＩＲＬＥＤ及びＩＲセンサを含む。
【発明の効果】
【００２２】
本発明によれば、電子楽譜装置は、各ユーザによる書き込みに対してだけでなく、複数のユーザによる書き込みに対しても優れた管理性を有する。また、電子楽譜装置は、演奏中における操作性を高くすることができる。
【００２３】
なお、本発明の他の目的、特徴及び利点は、添付図面に関する以下の本発明の実施例の記載から明らかになるであろう。
【図面の簡単な説明】
【００２４】
【図１Ａ】本発明の一実施形態としての電子楽譜装置の左右２つのディスプレイユニットが略１８０度開いた状態の正面から見た外観図である。
【図１Ｂ】図１Ａの電子楽譜装置の左右２つのディスプレイユニットが閉じた状態の正面から見た外観図である。
【図１Ｃ】図１Ｂの状態の電子楽譜装置の底面から見た外観図である。
【図２】図１Ａの電子楽譜装置及び外部装置の機能ブロック図である。
【図３】図１Ａの電子楽譜装置に使用される楽譜データの構成を表す概略図である。
【図４Ａ】図１Ａの電子楽譜装置の表示部に画像表示された楽譜ページへの書き込みによるアノテーションデータを記憶させる場合の概略図である。
【図４Ｂ】図１Ａの電子楽譜装置の表示部に画像表示された楽譜ページへの再書き込みによるアノテーションデータを記憶させる場合の概略図である。
【図４Ｃ】図１Ａの電子楽譜装置の表示部に画像表示された楽譜ページへの別の書き込みによるアノテーションデータを記憶させる場合の概略図である。
【図４Ｄ】図１Ａの電子楽譜装置の表示部に画像表示された楽譜ページへの書き込みによるアノテーションデータを外部装置に記憶させる場合の概略図である。
【図４Ｅ】外部装置に記憶されたアノテーションデータを図１Ａの電子楽譜装置に書き戻す場合の概略図である。
【図４Ｆ】外部装置に記憶されたアノテーションデータを２つの図１Ａの電子楽譜装置に書き戻してそれぞれの楽譜ページへの再書き込みによる各アノテーションデータを外部装置に記憶させる場合の概略図である。
【図４Ｇ】一方の図１Ａの電子楽譜装置のアノテーションデータを外部装置に記憶させ、外部装置に記憶されたアノテーションデータを他方の図１Ａの電子楽譜装置に書き戻す場合の概略図である。
【図５Ａ】図１Ａの電子楽譜装置の表示部に画像表示された楽譜について、ページめくりの先読みを設定するための最初の画面を表す図である。
【図５Ｂ】図１Ａの電子楽譜装置の表示部に画像表示された楽譜について、先読み前の画面を表す図である。
【図５Ｃ】図１Ａの電子楽譜装置の表示部に画像表示された楽譜について、先読み中の画面を表す図である。
【図５Ｄ】図１Ａの電子楽譜装置の表示部に画像表示された楽譜について、通常モードと先読みモードとのページ進行の対比を表す図である。
【図６Ａ】図１Ａの電子楽譜装置の表示部に画像表示された楽譜について、ページめくりのカスタム進行を設定するための最初の画面を表す図である。
【図６Ｂ】図１Ａの電子楽譜装置の表示部に画像表示された楽譜について、ページめくりのカスタム進行を設定するために、挿入する箇所、及び、挿入する楽譜ページを選択するための画面を表す図である。
【図６Ｃ】図１Ａの電子楽譜装置の表示部に画像表示された楽譜について、ページめくりのカスタム進行を設定するために、挿入する箇所を選択した画面を表す図である。
【図６Ｄ】図１Ａの電子楽譜装置の表示部に画像表示された楽譜について、ページめくりのカスタム進行を設定するために、挿入する楽譜ページを選択した画面を表す図である。
【図６Ｅ】図１Ａの電子楽譜装置の表示部に画像表示された楽譜について、ページめくりのカスタム進行を設定するために、選択された楽譜ページが選択された箇所に挿入された画面を表す図である。
【図７Ａ】図１Ａの電子楽譜装置に記憶された複数の楽曲から、演奏する順番に表示部に画像表示させる楽曲のセットを作成するための最初の画面を表す図である。
【図７Ｂ】図１Ａの電子楽譜装置に記憶された複数の楽曲から、演奏する順番に選択された楽曲のセットの画面を表す図である。
【発明を実施するための形態】
【００２５】
以下、本発明の実施例について図面を参照して説明するが、本発明はこれらの実施例に限定されるものではない。
【００２６】
図１Ａ〜図１Ｃは、本発明の一実施形態としての電子楽譜装置１の外観図を示している。より具体的には、図１Ａは、電子楽譜装置１の第１のディスプレイユニットＤ１及び第２のディスプレイユニットＤ２が略１８０度開いた状態の正面から見た外観図、図１Ｂは、第１及び第２のディスプレイユニットＤ１、Ｄ２が閉じた状態の正面から見た外観図、図１Ｃは、第１及び第２のディスプレイユニットＤ１、Ｄ２が閉じた状態の底面から見た外観図である。なお、図１Ａ〜図１Ｃの電子楽譜装置１は、第１のディスプレイユニットＤ１及び第２のディスプレイユニットＤ２という左右２つのディスプレイユニットを有しているが、これだけに限れず、電子楽譜装置１は３つ以上のディスプレイユニットを有していてもよい。
【００２７】
第１のディスプレイユニットＤ１は、第１の表示部１１と、第１の表示部１１の裏面に設けられた第１の筐体部１３を有し、第２のディスプレイユニットＤ２は、第２の表示部１２と、第２の表示部１２の裏面に設けられた第２の筐体部１４を有する。電子楽譜装置１が閉じた状態においては、図１Ａの第１の表示部１１の表示画面１１ａと第２の表示部１２の表示画面１２ａとが向かい合う形態となる。
【００２８】
図１Ａに示すように、第１の表示部１１と第２の表示部１２とは長手方向に並び、ユーザは第１の表示部１１の表示画面と、第２の表示部１２の表示画面の２つの表示画面を同時に見ることができる。
【００２９】
第１の表示部１１は、第１の表示画面１１ａと、第１のフレーム１１ｂとを含み、第１のフレーム１１ｂのいずれかの位置に、第１の表示画面１１ａ及び／又は第２の表示画面１２ａに表示された楽譜のページをめくるための第１のページめくり操作部１６が設けられている。第２の表示部１２は、第２の表示画面１２ａと、第２のフレーム１２ｂとを含み、第２のフレーム１２ｂのいずれかの位置に、第１の表示画面１１ａ及び／又は第２の表示画面１２ａに表示された楽譜のページをめくるための第２のページめくり操作部１７が設けられている。また、第１の表示部１１及び／又は第２の表示部１２のいずれかの位置に、ＨＯＭＥページに誘導するためのホームボタン１８、及びメニューをポップアップするためのメニューボタン１９が設けられている。
【００３０】
図２に、電子楽譜装置１の詳細な構成を示す機能ブロック図を示す。第１のディスプレイユニットＤ１は、第１の表示部１１、第１の表示部１１の第１の表示画面１１ａにタッチパネル機能を与える第１のタッチ入力部７、第１のページめくり操作部１６を有する。一方、第２のディスプレイユニットＤ２は、第２の表示部１２、第２の表示部１２の第２の表示画面１２ａにタッチパネル機能を与える第２のタッチ入力部８、第２のページめくり操作部１７を有し、更に、電源部４、通信部５、オーディオ（音声）再生録音部６、制御部１０、ホームボタン１８、メニューボタン１９を有する。
【００３１】
通信部５は、各種の有線及び／又は無線通信方式の少なくともいずれかを用いて、他の本発明による電子楽譜装置１やその他の外部装置２１と情報を送受信するように構成されている。ここで「外部装置」とは、電子楽譜装置１以外にも、スマートフォン、タブレットＰＣ等の携帯端末、コンピューターサーバ、クラウドサービス等を含みうる。
【００３２】
各種の有線及び／又は無線通信方式用の通信部５として、外部とのインターネット接続や、セルラー通信、無線ＬＡＮ通信、近距離通信等を行うためのモジュールや、所定のコネクタを介して外部との通信を行うためのＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４、有線ＬＡＮ等の有線通信モジュールを利用することができる。
【００３３】
近距離通信用のモジュールとして、Ｂｌｕｅｔｏｏｔｈ（登録商標）モジュールやＷｉ−Ｆｉモジュール、赤外線通信モジュール等のいずれかを利用できるようにしてもよい。
【００３４】
電子楽譜装置１は、第２の電子楽譜装置２等の２つ以上の複数の電子楽譜装置と通信できるようにすることが好ましく、Ｂｌｕｅｔｏｏｔｈ（登録商標）では複数のチャネルを介して複数の電子楽譜装置１と接続可能なように構成することができる。
【００３５】
制御部１０には、ＣＰＵ（中央処理装置）、不揮発及び／または揮発性のメモリ、第１及び第２の表示部１１、１２の画像表示を制御するためのＧＰＵ（Ｇｒａｐｈｉｃｓ  Ｐｒｏｃｅｓｓｉｎｇ  Ｕｎｉｔ）を含み、メモリに記憶されたアプリケーションプログラムに基づいて、通信部５の他、電源部４、オーディオ（音声）再生録音部６、第１及び第２の表示部１１、１２、第１及び第２のタッチ入力部７、８、第１及び第２のページめくり操作部１６、１７、ホームボタン１８、及びメニューボタン１９等のユニットとのデータ通信や制御を行う。
【００３６】
第１の表示部１１、第１のタッチ入力部７、第１のページめくり操作部１６の機能を達成するための制御装置を除き、電子楽譜装置１全体を制御する多くの主要な電気的ユニットは、第２のディスプレイユニットＤ２に設けるようにして、第１及び第２のディスプレイユニットＤ１、Ｄ２から入力された情報やそこに出力すべき情報は第２のディスプレイユニットＤ２側で集中的に制御し処理するようにしてもよい。つまり、第１のディスプレイユニットＤ１には、第１の表示部１１による表示機能、第１のタッチ入力部７により手書き入力機能、第１のページめくり操作部１６によるページめくり機能等の、第１のディスプレイユニットＤ１側で必要な動作が可能な限りのなるべく少ない制御を行う電気的ハードウェア構成を設け、第２のディスプレイユニットＤ２には、第２の表示部１２による表示機能、第２のタッチ入力部８により手書き入力機能、第２のページめくり操作部１７によるページめくり機能の他に、第１及び第２のディスプレイユニットＤ１、Ｄ２全体を制御できるように、主制御部となる制御部１０の他、電源部４、通信部５、オーディオ（音声）再生録音部６、ホームボタン１８、メニューボタン１９等の他の必要なハードウェア構成を第２のディスプレイユニットＤ２側に持つようにすることで、第１のディスプレイユニットＤ１側に組み込まれた電子機器の重量を減らし、相対的に第２のディスプレイユニットＤ２の重量を増やすようにしている。これによって、ユーザにとって第１のディスプレイユニットＤ１の開閉を容易にしている。もちろん、その重量比をどのようにするかは、適宜決めることができ、その比に応じて、ハードウェア構成の配置構成を決めるようにしてもよい。
【００３７】
図１Ａを参照すると、第１及び第２のディスプレイユニットＤ１、Ｄ２は、ヒンジ２０を介して開閉可能に接続されている。ヒンジ２０は、例えば、両側を弾性体シートで挟み込まれたフレキシブルプリント基板（ＦＰＣ（ｆｌｅｘｉｂｌｅ  ｐｒｉｎｔｅｄ  ｃｉｒｃｕｉｔ））によって構成され、第１（第２）のディスプレイユニットＤ１（Ｄ２）の表示部１１（１２）側のフレーム１１ｂ（１２ｂ）と、フレーム１１ｂ（１２ｂ）と反対側の筐体部１３（１４）の間で、直接または間接的に挟まれて、強度を維持しつつ第１及び第２のディスプレイユニットＤ１、Ｄ２が見開きに開閉可能なように構成されていてもよい。図２に示すように、ヒンジ２０のフレキシブルプリント基板を介して、第１及び第２のディスプレイユニットＤ１、Ｄ２の間の電気的な信号の送受信が行われる。なお、電子楽譜装置１は、３つ以上のディスプレイユニットを有していてもよく、例えば、３つのディスプレイユニットを有する場合には、三つ折りに開閉可能なように２つのヒンジを介して３つのディスプレイユニットが接続されていてもよい。
【００３８】
第２のディスプレイユニットＤ２の全体の重心の位置は、第２のディスプレイユニットＤ２の正面図の中心からヒンジ２０の方向で且つ下の方向にずれた位置となるように第２のディスプレイユニットＤ２内の部品配置が構成されていてもよい。例えば、第２のディスプレイユニットＤ２に組み込まれた電子部品である電源部４、制御部１０等の電気的構成部品の位置を調整して、全体の荷重中心が、ヒンジ２０側であって中央から下方向となるように配置されていてもよい。そして、上述したように、第１のディスプレイユニットＤ１は、第２のディスプレイユニットＤ２に対して軽くしているために、重心が大きくずれることがなく、電子楽譜装置１は、斜めに傾けられた譜面台にしっかりと置くことが可能となる。尚、電源部４は、外部からのＵＳＢ等のパワー端子から電力の供給を受けて蓄電するバッテリから構成されていてもよい。
【００３９】
図３に、電子楽譜装置１に使用される楽譜データの構成を示す。楽譜データは、演奏するための音符等の情報を示す楽譜ページデータと、第１及び第２のタッチ入力部７、８を介してタッチペン等によって書き込まれたアノテーションデータ１、２等とによって構成されている。その他楽譜ページデータには、後述する先読み機能、カスタム進行機能が追加されていてもよい。楽譜ページデータとしては例えばＰＤＦデータがあるが、これに限られたものでなく、楽譜を第１及び第２の表示部１１、１２に画像表示できるものであればよい。電子楽譜装置１は、電子楽譜装置１のユーザによる楽譜ページへの書き込み１（Ａ）を、その書き込まれた楽譜ページデータと関連付ける一方で、その書き込まれた楽譜ページデータとは分離して別に管理されるアノテーションデータ１として変換して、制御部１０のメモリに記憶させることができる。ユーザが、楽譜ページデータをアノテーションデータ１とともに第１及び第２の表示部１１、１２を介して、書き込み１（Ａ）とともに楽譜ページの画像表示を行った後、ユーザが書き込み１（Ａ）に対してユーザが書き込み１（Ａ’）として再書き込みを行った場合、再書き込みを行う前のアノテーションデータ１を第１世代のアノテーションデータとしてメモリ記憶させ、且つ、再書き込みを行った後のアノテーションデータ１を第２世代のアノテーションデータとして記憶させて、書き込み１のアノテーションデータ１に対して、第１世代及び第２世代としての書き込みの履歴を持たせることができる。そして、更に書き込みを行った場合には、第３世代、第４世代・・・としての書き込みの履歴を持たせることができる。このように書き込みの履歴を持たせることにより、再書き込み前の書き込み１（Ａ）を再度、第１及び第２の表示部１１、１２を介して画像表示させることができる。なおここで書き込みとは、第１及び第２の表示部１１、１２に文字等を書き入れるだけでなく、第１及び第２の表示部１１、１２から書き入れられた文字等を消去する場合をも含む概念である。
【００４０】
また、第１及び第２の表示部１１、１２への書き込み２（Ｂ）を、書き込み１（Ａ、Ａ’）のアノテーションデータ１とは分離して別に管理されるアノテーションデータ２として変換して、制御部１０のメモリに記憶させることもできる。
【００４１】
このように楽譜データを構成することにより、例えば、オーケストラの演奏者が、指揮者ごとに別々の書き込みを作成して各指揮者に対応するアノテーションデータとして記憶させることができるとともに、各書き込みを、アノテーションデータごとに世代に分けて履歴を持たせて記憶することにより、楽譜ページに文字等を書き入れたり、書き入れた文字等を消去したりすることが容易にすることができるようになり、書き入れスペースが限られている楽譜ページの余白を有効に活用することができる。
【００４２】
図４Ａ〜図４Ｇに、電子楽譜装置１に使用される楽譜データの構成によるいくつかの実施形態を示すが、これに限られたことではない。図４Ａに、第１及び第２のディスプレイユニットＤ１、Ｄ２の第１及び第２の表示部１１、１２に画像表示された楽譜ページへの書き込みによる楽譜データの構成を示す。第１及び第２の表示部１１、１２に画像表示されたＨＯＭＥページにおいて電子楽譜装置１に記憶されている楽譜１が示される。楽譜１を開いて第１及び第２の表示部１１、１２に楽譜１の楽譜ページを画像表示させる。第１及び第２の表示部１１、１２にＡを書き込み、楽譜１を閉じると、Ａとしての書き込み１に対するアノテーションデータ１が制御部１０のメモリに記憶される。Ａとしての書き込み１があることがユーザに認識できるように、第１及び第２の表示部１１、１２には画像表示される。
【００４３】
図４Ｂに、第１及び第２のディスプレイユニットＤ１、Ｄ２の第１及び第２の表示部１１、１２に画像表示された楽譜ページへの再書き込みによる楽譜データの構成を示す。第１及び第２の表示部１１、１２に画像表示されたＨＯＭＥページにおいて、楽譜１の楽譜ページデータに関連付けられた第１世代のアノテーションデータ１の書き込み１を選択して、それとともに楽譜１を開いて第１及び第２の表示部１１、１２に楽譜１の楽譜ページを画像表示させる。第１及び第２の表示部１１、１２に’を書き込み、楽譜１を閉じると、Ａ’としての書き込み１’に対する第２世代のアノテーションデータ１が制御部１０のメモリに記憶される。Ａとしての書き込み１、Ａ’としての書き込み１’があることがユーザに認識できるように、第１及び第２の表示部１１、１２には画像表示される。そして、第１世代及び第２世代のアノテーションデータ１のうちの１つを選択して、それとともに楽譜１を開いて第１及び第２の表示部１１、１２に楽譜１の楽譜ページを画像表示させることもできる
【００４４】
図４Ｃに、第１及び第２のディスプレイユニットＤ１、Ｄ２の第１及び第２の表示部１１、１２に画像表示された楽譜ページへの別の書き込みによる楽譜データの構成を示す。第１及び第２の表示部１１、１２に画像表示されたＨＯＭＥページにおいて、楽譜１の楽譜ページデータに関連付けられた第１世代のアノテーションデータ１の書き込み１を選択せず、楽譜１のみを開いて第１及び第２の表示部１１、１２に楽譜１の楽譜ページを画像表示させる。第１及び第２の表示部１１、１２にＢを書き込み、楽譜１を閉じると、Ｂとしての書き込み２に対するアノテーションデータ２が、Ａとしての書き込み１に対するアノテーションデータ１とは別に制御部１０のメモリに記憶される。Ａとしての書き込み１、Ｂとしての書き込み２があることがユーザに認識できるように、第１及び第２の表示部１１、１２には画像表示される。このように、書き込み１に対するアノテーションデータ１と、アノテーションデータ１とは相違する書き込み２に対するアノテーションデータ２とが、制御部１０のメモリに記憶され、アノテーションデータ１及び２に関連付けられた楽譜１の楽譜ページデータとしての楽譜ページを、アノテーションデータ１としての書き込み１及びアノテーションデータ２としての書き込み２のうちの１つとともに第１及び第２の表示部１１、１２に画像表示させることができる。
【００４５】
図４Ｄに、楽譜ページデータと、電子楽譜装置１の第１及び第２のディスプレイユニットＤ１、Ｄ２の第１及び第２の表示部１１、１２に画像表示された楽譜ページへの書き込みによるアノテーションデータとによって構成され、外部装置２１に記憶された楽譜データの構成を示す。電子楽譜装置１は、楽譜１の楽譜データを構成する楽譜１に対する楽譜ページデータと書き込み１に対する第１世代のアノテーションデータ１とを、通信部５を介して外部装置２１に送信して、外部装置２１に記憶させることができる。そして、第１及び第２の表示部１１、１２に’を書き込み、Ａ’としての書き込み１’に対する第２世代のアノテーションデータ１を制御部１０のメモリに記憶させ、更に、書き込み１’に対する第２世代のアノテーションデータ１を、通信部５を介して外部装置２１に送信して、外部装置２１に記憶させることができる。また、第１及び第２の表示部１１、１２にＢを書き込み、Ｂとしての書き込み２に対するアノテーションデータ２を、Ａとしての書き込み１に対するアノテーションデータ１とは別に制御部１０のメモリに記憶させ、更に、書き込み２に対する第１世代のアノテーションデータ２を、通信部５を介して外部装置２１に送信して、外部装置２１に記憶させることができる。このように、外部装置２１に記憶されている楽譜１の楽譜データの構成は、楽譜ページデータと、第１世代及び第２世代のアノテーションデータ１と、第１世代のアノテーションデータ２とによって構成されている。なお、この場合において、電子楽譜装置１の制御部１０のメモリにおいては、第２世代のアノテーションデータ１のみを記憶するようにできてもよい。このように再書き込みがされた書き込み１’に対する第２世代のアノテーションデータ１のみを電子楽譜装置１の制御部１０のメモリに記憶させることによって、電子楽譜装置１の制御部１０のメモリのスペースを有効に活用することができる。
【００４６】
図４Ｅに、外部装置２１に記憶された楽譜データを構成しているアノテーションデータを電子楽譜装置１の制御部１０のメモリに書き戻した楽譜データの構成を示す。第１及び第２の表示部１１、１２に’を書き込み、Ａ’としての書き込み１’に対する第２世代のアノテーションデータ１のみを制御部１０のメモリに記憶させた場合、外部装置２１に事前に記憶させたＡとしての書き込み１に対する第１世代のアノテーションデータ１を、制御部５を介して受信して制御部１０のメモリに記憶させた第２世代のアノテーションデータ１に対して上書きをして書き戻させ、第１及び第２の表示部１１、１２を介して第１世代のアノテーションデータ１に対する書き込み１としてのＡを画像表示させることができる。これによって、電子楽譜装置１の制御部１０のメモリの他のスペースを使用することなく、書き込み１としてのＡに書き戻すことができる。
【００４７】
図４Ｆに、外部装置２１に電子楽譜装置１及び２が接続可能であって、外部装置２１に記憶された第１世代のアノテーションデータ１を各電子楽譜装置１及び２に書き戻して、各電子楽譜装置１及び２の第１及び第２のディスプレイユニットＤ１、Ｄ２の第１及び第２の表示部１１、１２に画像表示された楽譜ページへの再書き込みによる第２世代及び第３世代のアノテーションデータ１と、再書き込み前による第１世代のアノテーションデータ１とによって構成され、外部装置２１に記憶された楽譜データの構成を示す。これによって、電子楽譜装置１及び２は、共通の楽譜１の楽譜データを共有することがすることができる。なお、外部装置２１には電子楽譜装置１及び２だけでなく、更に複数の電子楽譜装置が接続可能である。また、外部装置２１及び／又は外部装置２１に記憶された楽譜データに接続できる電子楽譜装置を制限するために、各電子楽譜装置に楽譜１の楽譜データを共有するためのＩＤ（識別情報）を持たせることもできる。
【００４８】
外部装置２１に事前に記憶させたＡとしての書き込み１に対する第１世代のアノテーションデータ１を、電子楽譜装置１の制御部５を介して受信して、電子楽譜装置１の第１及び第２の表示部１１、１２を介して第１世代のアノテーションデータ１に対する書き込み１としてのＡを画像表示させ、’を書き込み、Ａ’としての書き込み１’に対する第２世代のアノテーションデータ１を電子楽譜装置１の制御部１０のメモリに記憶させ、そして、電子楽譜装置１の制御部５を介してＡ’としての書き込み１’に対する第２世代のアノテーションデータ１を外部装置２１に送信して記憶させることができる。また、外部装置２１に事前に記憶させたＡとしての書き込み１に対する第１世代のアノテーションデータ１を、電子楽譜装置２の制御部５を介して受信して、電子楽譜装置２の第１及び第２の表示部１１、１２を介して第１世代のアノテーションデータ１に対する書き込み１としてのＡを画像表示させ、”を書き込み、Ａ”としての書き込み１”に対する第３世代のアノテーションデータ１を電子楽譜装置２の制御部１０のメモリに記憶させ、そして、電子楽譜装置２の制御部５を介してＡ”としての書き込み１”に対する第３世代のアノテーションデータ１を外部装置２１に送信して記憶させることができる。このようにして、３つのＡ、Ａ’、Ａ”としての書き込み１、１’、１”を、第１世代〜第３世代のアノテーションデータ１として履歴を持たせて外部装置２１に記憶させることができる。これにより、電子楽譜装置１及び２のユーザによるそれぞれの書き込みを、外部装置２１を介して各ユーザは共有することができ、且つ、過去の書き込みを再生できる一方で、新たな書き込みをもすることができる。
【００４９】
また、電子楽譜装置２が、外部装置２１に記憶された第１世代及び第２世代のアノテーションデータ１のうちの１つ（例えば、第１世代）を、通信部５を介して受信して、第１及び第２の表示部１１、１２を介して第１世代のアノテーションデータ１に対する書き込み１としてのＡを画像表示させ、”を書き込み、Ａ”としての書き込み１”に対する第３世代のアノテーションデータ１を電子楽譜装置２の制御部１０のメモリに記憶させ、そして、電子楽譜装置２の制御部５を介してＡ”としての書き込み１”に対する第３世代のアノテーションデータ１を外部装置２１に送信して記憶させることができる。このようにして、３つのＡ、Ａ’、Ａ”としての書き込み１、１’、１”を、第１世代〜第３世代のアノテーションデータ１として履歴を持たせて外部装置２１に記憶させることができる。そして、外部装置２１に記憶されたＡ”としての書き込み１”に対する第３世代のアノテーションデータ１を、電子楽譜装置１は、通信部５を介して受信して第１及び第２の表示部１１、１２を介して第３世代のアノテーションデータ１に対する書き込み１”としてのＡ”を画像表示させることができる。これにより、電子楽譜装置２のユーザによる書き込みを、外部装置２１を介して電子楽譜装置１のユーザは共有することができる。
【００５０】
図４Ｇに、外部装置２１に記憶された楽譜データを構成しているアノテーションデータ３を電子楽譜装置１の制御部１０のメモリに書き戻した楽譜データの構成を示す。電子楽譜装置２のユーザは、第１及び第２のディスプレイユニットＤ１、Ｄ２の第１及び第２の表示部１１、１２にＣを書き込み、電子楽譜装置２は、Ｃとしての書き込み３に対する第１世代のアノテーションデータ３を制御部１０のメモリに記憶させ、Ｃとしての書き込み３に対する第１世代のアノテーションデータ３を、通信部５を介して送信して外部装置２１に記憶させ、外部装置２１に事前に記憶させたＣとしての書き込み３に対する第１世代のアノテーションデータ３を、電子楽譜装置１は、通信部５を介して受信して、制御部１０のメモリに既に記憶された第１世代のアノテーションデータ１とは分離して別に管理させて記憶させ、第１及び第２の表示部１１、１２を介して第１世代のアノテーションデータ３に対する書き込み３としてのＣを画像表示させることができる。これによって、電子楽譜装置１及び２のユーザは、外部装置２１を介してＣとしての書き込み３を共有することができる。
【００５１】
図５Ａ〜図５Ｄに、電子楽譜装置１の第１及び第２のディスプレイユニットＤ１、Ｄ２の第１及び第２の表示部１１、１２に画像表示された楽譜について、ページめくりの先読みを設定するための画面を示す。図５Ａのように、メニューボタン１９を押すことによって、第２のディスプレイユニットＤ２にページめくりの先読み機能を設定するための最初の画面が画像表示される。ところで、演奏者にとって演奏中の楽譜のページめくりは手間となっている。このようなページめくりによる手間を省くために、先読み機能によって、第１及び第２の表示部１１、１２のうちの１つの表示部（例えば、第１の表示部１１）において画像表示された楽譜ページの演奏が終わった後、第１の表示部１１に画像表示された楽譜ページを、演奏中の第２の表示部１２に画像表示された楽譜ページより後の楽譜ページに切り換えて先読みして画像表示させることができる。
【００５２】
図５Ａにおいて、第２のディスプレイユニットＤ２に画像表示されている先読みボタン２２を押すと、例えば図５Ｂのように、第１及び第２の表示部１１、１２にはそれぞれ、通常の先読み前の楽譜ページである１頁目及び２頁目が画像表示される。次にページめくりを行うと、図５Ｃのように、第１の表示部１１には２頁目の次の３頁目の楽譜ページが先読みして画像表示される。先読みして画像表示される場合、図５Ｃのように、第１の表示部１１には、先読みして画像表示させていることを示すアイコン２３を画像表示させてもよい。ここでアイコンとは先読みしていることを認識できるものであればよい。また更にページめくりを行うと、第２の表示部１２には３頁目の次の４頁目の楽譜ページが画像表示される。このような通常の画像表示である場合には、第１の表示部１１に先読みして画像表示させていること示すアイコン２３は削除されてもよい。なお、ページめくりは、第１及び第２のフレーム１１ｂ、１２ｂに設けられた第１及び第２のページめくり操作部１６、１７、第１及び第２の画面表示１１ａ、１２ｂに設けられたボタン、ペダル等の他のアクセサリ、スマートフォンのアプリケーション等によって行われてもよい。
【００５３】
図５Ｄに、電子楽譜装置１の第１及び第２のディスプレイユニットＤ１、Ｄ２の第１及び第２の表示部１１、１２に画像表示された楽譜において、通常モードと先読みモードとのページ進行の対比を示す。通常モードでは、１頁目と２頁目が画像表示され、１頁目と２頁目の後のページに進むようにページめくりを行うと３頁目と４頁目が画像表示される。そして、３頁目と４頁目の前のページに戻るようにページめくりを行うと１頁目と２頁目が画像表示される。一方、先読みモードでは、１頁目と２頁目が画像表示され、１頁目と２頁目の後のページに進むようにページめくりを行うと３頁目と２頁目が画像表示され、更にページめくりを行うと３頁目と４頁目が画像表示される。そして、画像表示された３頁目と２頁目からの前のページに戻るようにページめくりを行うと１頁目と２頁目が画像表示され、画像表示された３頁目と４頁目からの前のページに戻るようにページめくりを行うと１頁目と２頁目が画像表示される。先読みして３頁目と２頁目が画像表示される場合には、３頁目に先読みしていることを示すアイコン２３が画像表示される。
【００５４】
図６Ａ〜図６Ｅに、電子楽譜装置１の第１及び第２のディスプレイユニットＤ１、Ｄ２の第１及び第２の表示部１１、１２に画像表示された楽譜について、ページめくりのカスタム進行を設定するための画面を示す。図６Ａのように、メニューボタン１９を押すことによって、第２のディスプレイユニットＤ２にページめくりのカスタム進行機能を設定するための最初の画面が画像表示される。ところで、楽譜においては、その一部を繰り返して演奏するための反復記号が使用されることがあるが、繰り返して演奏するためにはその一部を画像表示するようにページを戻す必要があり、演奏者にとっては手間となる。このような反復記号によるページを戻す手間を省くために、カスタム進行機能によって、複数のページによって構成された楽譜に対して、複数のページのうちの２つの隣り合う前後のページの間に、複数のページのうちの少なくとも１つのページを挿入することができる。
【００５５】
図６Ａにおいて、第２のディスプレイユニットＤ２に画像表示されているカスタムボタン２４を押すと、図６Ｂのように、第１及び第２の表示部１１、１２に画像表示された楽譜について、ページめくりのカスタム進行を設定するための、挿入する箇所、及び、挿入する楽譜ページを選択するための画面が画像表示され、挿入したい箇所、及び、挿入したい楽譜ページを選択することができる。例えば、６頁目と７頁目との間に挿入したい場合には、図６Ｃのように６頁目と７頁目の間にあるページ挿入ボタン２５を選択して押すことができる。ページ挿入ボタン２５を押したことが認識できるように、他のページ挿入ボタンと対比してページ挿入ボタン２５の画像表示される色が変化してもよい。また、１頁目と２頁目を挿入したい場合には、図６Ｄのように１頁目と２頁目の間のページ選択ボタン２６を選択して押すことができる。ページ選択ボタン２６を押したことが認識できるように、他のページ選択ボタンと対比してページ選択入ボタン２６にはレ点が画像表示されるようにしてもよい。このように挿入したい箇所、及び、挿入したい楽譜ページを選択することによって、図６Ｅのように、第１及び第２の表示部１１、１２に画像表示された楽譜について、６頁目と７頁目との間に、挿入された楽譜ページ２７として１頁目と２頁目が挿入されることができる。実際にページめくりを行う場合には、６頁目の次に１頁目、その次に２頁目、更にその次に７頁目が画像表示されることとなる。
【００５６】
図７Ａ、図７Ｂに、電子楽譜装置１に記憶された複数の楽曲から、演奏する順番に第１及び第２のディスプレイユニットＤ１、Ｄ２の第１及び第２の表示部１１、１２に画像表示させる楽曲のセットを作成するための画面を示す。図７Ａのように、ホームページボタン１８によってＨＯＭＥページを画像表示させた後、ＨＯＭＥページにある新規セットリスト作成ボタンを押すことによって、電子楽譜装置１に記憶された複数の楽曲から、演奏する順番に画像表示させる楽曲のセットを作成するための最初の画面が画像表示される。図７Ａのように、第２の表示部１２に電子楽譜装置１に記憶された複数の楽曲が画像表示され、図７Ｂのように、電子楽譜装置１に記憶された複数の楽曲から、演奏する３つの楽曲２８ａ〜２８ｃを演奏する順番に選択して、楽曲のセットを作成することができる。また、順番切換ボタン２９によって、選択された楽曲の順番を切り換えることもできる。例えば、楽曲２８ｂを楽曲２８ｃに後に演奏する場合には、楽曲２８ｂに関連付けられた▼ボタンを押すことによって、楽曲２８ｂの楽譜を楽曲２８ｃの楽譜の後に画像表示されるように順番を切り換えることができる。
【００５７】
このように電子楽譜装置１は、複数の楽曲の楽譜データを記憶させることができ、更に、複数の楽曲の中から少なくとも２つの楽曲を選択して演奏する順番に順位付けをして１つのセットとして記憶させることができる。また、第１及び第２の表示部１１、１２を介してセットのうちの１つの楽曲の楽譜データを画像表示させている場合において、その１つの楽曲をページめくりして最後のページまで到達した後、その１つの楽曲の次の順番の楽曲を画像表示させる前に、その１つの楽曲、及び次の順番の楽曲の曲名をユーザが認識できるようにする曲間表示を、第１及び第２の表示部１１、１２を介して画像表示させることもできる。
【００５８】
図１Ａを参照すると、第１及び第２のディスプレイユニットＤ１、Ｄ２の第１及び第２の表示部１１、１２の第１及び第２のフレーム１１ｂ、１２ｂには、それぞれ第１及び第２のページめくり操作部１６、１７が設けられている。第１及び第２のページめくり操作部１６、１７は、静電容量方式のスイッチ、機械的な電気接点式スイッチ等、機械的または電気的スイッチから構成されていてもよいが、ＩＲ（赤外線）ＬＥＤ及びＩＲ近接センサから構成されていてもよい。ＩＲＬＥＤより赤外線を照射し、対象物によって反射された赤外線をＩＲ近接センサにより検出する。静電容量方式のスイッチよりも長い検出距離を確保することができ、ページめくりの操作性を向上させることができる。また、独立した高出力のＩＲＬＥＤを使用することによって、検出距離の延長化が達成できるとともに低消費電力化が達成でき、ＩＲＬＥＤとＩＲ近接センサとの間の配置距離を調整することによって、対象物との反応範囲・距離を最適化することができる。また、赤外線透過白色フィルムを採用して、レンズへの内部構造の映り込みを防止し外観に配慮すると同時に、外からの妨害可視光をカットできるようにしてもよい。
【００５９】
上記記載は特定の実施例についてなされたが、本発明はそれに限らず、本発明の原理と添付の特許請求の範囲の範囲内で種々の変更及び修正をすることができることは当業者に明らかである。
【符号の説明】
【００６０】
１      電子楽譜装置
２      第２の電子楽譜装置
４      電源部
５      通信部
６      オーディオ（音声）再生録音部
７      第１のタッチ入力部
８      第２のタッチ入力部
１０    制御部
１１    第１の表示部
１１ａ  第１の表示画面
１１ｂ  第１のフレーム
１２    第２の表示部
１２ａ  第２の表示画面
１２ｂ  第２のフレーム
１３    第１の筐体部
１４    第２の筐体部
１６    第１のページめくり操作部
１７    第２のページめくり操作部
１８    ホームボタン
１９    メニューボタン
２０    ヒンジ
２１    外部装置
２２    先読みボタン
２３    先読みアイコン
２４    カスタムボタン
２５    ページ挿入ボタン
２６    ページ選択ボタン
２７    挿入された楽譜ページ
２８ａ  楽曲１
２８ｂ  楽曲２
２８ｃ  楽曲３
２９    順番切換ボタン
【図１Ａ】
2018180066.tif 000003
【図１Ｂ】
2018180066.tif 000004
【図１Ｃ】
2018180066.tif 000005
【図２】
2018180066.tif 000006
【図３】
2018180066.tif 000007
【図４Ａ】
2018180066.tif 000008
【図４Ｂ】
2018180066.tif 000009
【図４Ｃ】
2018180066.tif 000010
【図４Ｄ】
2018180066.tif 000011
【図４Ｅ】
2018180066.tif 000012
【図４Ｆ】
2018180066.tif 000013
【図４Ｇ】
2018180066.tif 000014
【図５Ａ】
2018180066.tif 000015
【図５Ｂ】
2018180066.tif 000016
【図５Ｃ】
2018180066.tif 000017
【図５Ｄ】
2018180066.tif 000018
【図６Ａ】
2018180066.tif 000019
【図６Ｂ】
2018180066.tif 000020
【図６Ｃ】
2018180066.tif 000021
【図６Ｄ】
2018180066.tif 000022
【図６Ｅ】
2018180066.tif 000023
【図７Ａ】
2018180066.tif 000024
【図７Ｂ】
2018180066.tif 000025